(57)【要約】【課題】  企業イメージ，キャンペーン，イベント等を別途表示する広告シート３０が容易に装着・取外しされ、表示内容を印象良く自動販売機使用者に伝達できる広告表示板１０を提供する。【解決手段】  昇華転写法で印刷模様を付した塗装金属板から作製された広告表示板１０であり、前面から透視される広告表示板収容部９に収められるサイズをもち、広告シート３０が装着されるフック１２，１３が塗装金属板の上方部に形成されている。広告表示板１０の下部コーナ近傍に、広告シート３０の下部コーナを収める切込み１４，１５を形成しても良い。【選択図】      図３
2005135341.tif 000002
【特許請求の範囲】
【請求項１】
広告シートを掲示する自動販売機用広告表示板であって、該広告表示板の一部として構成される広告シートを掲示するための装着機構を前記広告表示板に少なくとも一つ有し、前記広告表示板が金属板に設けた樹脂塗膜に昇華転写法で模様を付した塗装金属板からなることを特徴とする自動販売機用広告表示板。
【請求項２】
広告表示板の上部に少なくとも二つの装着機構が設けられている請求項１記載の自動販売機用広告表示板。
【請求項３】
広告表示板の下部に少なくとも二つの装着機構が設けられている請求項１又は２記載の自動販売機用広告表示板。
【発明の詳細な説明】
【技術分野】
【０００１】
本発明は、自動販売機の広告表示板収容部に収められて販売商品の情報を表示すると共に、期間限定用等の暫定的な広告シートも見栄え良く装着できる広告表示板に関する。
【背景技術】
【０００２】
飲料，タバコ，新聞，雑誌等の商品を収容・販売する自動販売機では、取扱い商品の内容，イメージ等を使用者に表示するため、広告表示板が前面に配置されている。たとえば、自動販売機は、前面扉１に複数種の販売商品２を陳列する展示棚３，商品選択ボタン４，コイン投入口５，紙幣投入口６，釣り銭返却口７，商品取出し口８等が組み込まれているが、その他にも販売商品２に関する情報やキャンペーン，企業イメージ等を表示した広告表示板１０が収められる収容部９が前面扉１の内側に配置されている（図１）。
【０００３】
広告表示板収容部９の前面には透視可能な合成樹脂シート，ガラス板等が通常張られており、前面扉１を開いて広告表示板１０を収容する構造になっている。広告表示板１０の収容方法には、たとえば開放した前面扉１の内側にある上部開口から広告表示板１０を収容部９に挿し込む方法，内扉から突出した部分に広告表示板１０を引っ掛けた状態で広告表示板１０を収容部９に挿し込む方法，前面扉１の内側にある広告表示板１０収容用の内扉を側面から開放し、内扉の底面にある突出した台に広告表示板１０を据え置き、広告表示板１０を内扉にネジ等で固定する方法等がある。収容部９に広告表示板１０を挿し込んだ或いは固定した前面扉１を閉じると、収容した広告表示板１０が広告表示板収容部９の前面から透視される。
【０００４】
広告表示板１０を恒常的な表示手段として扱い、広告表示板１０の上に更に広告シートを重ね、限定された期間で特定商品，キャンペーン，イベント企画等を暫定表示することもある。
期間限定用広告シートをノリ，粘着剤等で広告表示板１０に貼り付けると、掲示期間中にノリや粘着テープが変質して粘着力の低下が避けられず、広告表示板１０から期間限定用広告シートが剥がれ落ちることがある。粘着力の強いノリ，粘着テープによって期間限定用広告シートの剥がれ落ちを防止できるものの、期間限定用広告シートを剥離する際にノリや粘着テープが広告表示板１０に残りやすく、広告表示板１０の表示内容が劣化する。しかも、ノリや粘着テープを用いた貼付けでは、期間限定用広告シートの装着が傾いた状態で広告表示板１０に貼られることが多々あり、却って期間限定用広告シートの表示内容が与える印象を損ないかねない。
【０００５】
この点、吊下げ金具を用いて期間限定用広告シートを取り付けると、所定の位置関係で期間限定用広告シートを配置できる（特許文献１）。しかし、特許文献１で紹介されている吊下げ金具は、広告表示板１０から独立しており、前面から自動販売機をみたときに目に付きやすい。そのため、期間限定用広告シートを外した後では広告表示板１０の前面に吊下げ金具が位置し、表示内容が与える印象が著しく悪くなる。また、広告表示板１０とは別部品として製造し取り付けることが必要になるので、自動販売機自体の製造コストを上昇させ、作業性の低下が懸念される。
【特許文献１】特開2001-343918号公報
【０００６】
吊下げ金具による印象悪化を避けるためには、広告表示板１０に吊下げ機能を付与することが考えられる。しかし、広告表示板１０の印刷模様はスクリーン印刷によるものが多く、印刷模様が付与されている広告表示板１０に突起，フック等を形成すると印刷模様が剥離しやすい。そのため、従来の印刷法で模様を付与した広告表示板１０には吊下げ機能を付与できず、ノリや粘着テープ或いは吊下げ金具を使用せざるを得ない現状である。
【発明の開示】
【発明が解決しようとする課題】
【０００７】
本発明は、このような問題を解消すべく案出されたものであり、昇華転写模様を付した塗装金属板に加工性があることを活用し、フック，コーナ押え等を形成しても印刷模様が剥離や劣化せず、暫定的広告シートを所定の位置関係で容易に装着し、取り外せる自動販売機用広告表示板を提供することを目的とする。
【課題を解決するための手段】
【０００８】
本発明は、広告シートを掲示する自動販売機用広告表示板であって、該広告表示板の一部として構成される広告シートを掲示するための装着機構を前記広告表示板に少なくとも一つ有し、前記広告表示板が金属板に設けた樹脂塗膜に昇華転写法で模様を付した塗装金属板からなることを特徴とする。
装着機構は、広告表示板の上部に少なくとも二つ設けることができる。広告表示板の下部にも、少なくとも二つの装着機構が設けても良い。上部装着機構，下部装着機構の双方を広告表示板に設けることも可能である。
【発明の効果】
【０００９】
本発明では、昇華転写法で印刷模様を付した塗装金属板を広告表示板１０に使用している。
印刷模様を昇華転写した塗装金属板自体は本発明者等が開発した意匠鋼板等（特許文献２〜７）であり、金属板２１の表面に昇華性染料に対する受容性の高い樹脂塗膜２２を設けている。昇華性染料で予め模様を付けた転写シート２３を塗装金属板２０に接触させて加熱すると、昇華した染料が樹脂塗膜２２に浸透して昇華性染料染着層２４が形成され、厚み方向に染着した立体感のある印刷模様が発現する。（図２）
【００１０】
【特許文献２】特開平8-24778号公報
【特許文献３】特開平9-206678号公報
【特許文献４】特開平9-239897号公報
【特許文献５】特開2000-272047号公報
【特許文献６】特開2001-234359号公報
【特許文献７】特開2002-59078号公報
【００１１】
樹脂塗膜２２の厚み方向に昇華性染料が浸透した染着層２４で印刷模様が発現するため、擦れ等によって印刷薄れが生じることなく、熱転写で意匠を付与した後の樹脂塗膜２２を透明樹脂で保護する後工程も省略される。また、金属板／塗膜の界面に染料層が単独で存在しないため、従来のラミネート鋼板にみられたような層間剥離も生じない。更に、スクリーン印刷等の従来法で印刷模様をつけた意匠金属板と異なり、多少の加工を施しても塗膜剥離や印刷模様の劣化がない。転写印刷後の塗装金属板２０に加工性があることは、塗装金属板２０でできた広告表示板１０自体に広告シート３０（図４）の装着機能を付与できることを意味する。
【００１２】
なお、本件明細書では、商品の内容や情報，キャンペーン情報，企業イメージ等を記載したポスター，チラシ等を広告シート３０という。広告シート３０の大きさや材質は目的に応じて適宜選択できるが、一般的には紙，合成樹脂シート等から作製された広告シート３０が使用される。
したがって、広告表示板１０のコーナ部に広告シート３０の四隅を留めるフック，差込み等の装着機構を形成しておくと、広告シート３０の装着，取り外しが容易になる。取り付けられた広告シート３０も、フック，差込等でコーナが規制されているので正確な位置関係で装着され、見栄えを悪化する傾いた装着もなくなる。
【発明を実施するための最良の形態】
【００１３】
塗装金属板２０は、普通鋼板，めっき鋼板，ステンレス鋼板，アルミニウム板等の金属板を金属板２１とし、その上に昇華性染料に対する染着性が良好な樹脂塗膜２２を形成している。樹脂塗膜２２は、たとえばビニル系，アクリレート系，ポリエステル系，ポリカーボネート系，ポリウレタン系，エポキシ系等の各種樹脂塗料から成膜できる。また、透明度の高い熱硬化型ポリエステル樹脂等の樹脂塗料を用いてクリアな樹脂塗膜２２を形成すると、金属板２１の金属光沢を活かした模様付けも可能である。樹脂塗膜２２には、太陽光線や紫外線の透過による昇華性染料の褪色及び樹脂塗膜２２の光沢低下を防止するため、ベンゾトリアゾール系，トリアジン系等の紫外線吸収剤を添加できる。また、ヒンダートアミン系光安定剤を配合すると、耐光性が一層向上する。
【００１４】
昇華熱転写は、分散染料が有する昇華染色性を利用した１種の気相染色法であり、分散染料から調製されたインクで所定の模様をつけた転写シート２３が使用される。転写シート２３を塗装金属板２０に接触させて加熱すると、昇華した染料が樹脂塗膜２２に浸透して昇華性染料染着層２４が形成され、厚み方向に染着した立体感のある印刷模様が発現する（図２）。転写シート２３は、グラビア印刷，オフセット印刷，スクリーン印刷等で作製できる。小ロット印刷用には、製版工程を必要としないコンピュータグラフィックスを用いた電子写真法，静電記録法，インクジェット法，感熱転写法等も採用可能である。
昇華性染料は、加熱された際に昇華，揮発等の現象によって樹脂塗膜２２に転移し得る染料をいう。なお、本件明細書では、液相からの揮発をも包含する意味で「昇華」を使用している。昇華性染料としては、たとえばキノフタロン誘導体，アントラキノン誘導体，アゾ系色素等の分散染料が好適に使用される。また、従来から昇華熱転写，昇華転写捺染等に使用されている昇華性染料は、特に制約なく樹脂塗膜２２の模様印刷に使用される。
【００１５】
昇華転写で印刷模様を付けた塗装金属板２０が加工性良好であることを活用し、塗装金属板２０を必要サイズの広告表示板１０に裁断した後、広告表示板１０の一部を切り起こしてフック１２，１３を形成する。具体的には、広告表示板１０の上部コーナ近傍に切込み１２aを入れ、切込み１２aに沿って広告表示板１０の一部を立ち上げ、立上り部１２bを更に広告表示板１０の主面と平行に曲げて平面部１２cを形成する。平面部１２cの幅は、広告シート３０に形成した差込孔３１（図４）よりも短く設定される。
なお、図３では、ポケット状の広告表示板収容部９に収容されることを前提として平板状の広告表示板１０を示しているが、自動販売機の前面扉１に水平方向に差し渡したビームに広告表示板１０を吊下げ、広告表示板収容部９に臨ませる方式も採用可能である。この場合には、塗装金属板２０から広告表示板１０を切り出す際に吊下げ用フックをもつサイズに塗装金属板２０を裁断し、或いは裁断した平板状の広告表示板１０の上縁に吊下げ用フックを固着する。
【００１６】
フック１２，１３は、比較的軽量な広告シート３０の吊下げに使用されることから、広告表示板１０の上部コーナ近傍に設けられる。そのため、フック１２，１３の形成によっても印刷模様１１が広告表示板１０の金属板から剥離・脱落しないことは勿論、広告表示板１０を正面から見たときフック１２，１３が目立たない位置にあり、印刷模様１１の印象がフック１２，１３で悪化することもない。
必要に応じ、広告表示板１０の下部コーナ近傍に切込み１４，１５を形成する。切込み１４，１５は、広告シート３０の下部コーナが容易に挿し込まれる形状が好ましい。たとえば、切込み１５のコーナ側１５aと中央側１５bとの間に段差１５cを付ける。広告表示板１０を正面から見た視界に段差１５cがほとんど入らないため、切込み１４，１５によって印刷模様１１の印象が悪化することもない。
【００１７】
広告表示板１０の四隅近傍に形成したフック１２，１３（図５）又は切込み１４，１５（図６）で広告シート３０の四隅を留めることも可能である。更には、広告表示板１０から前方に突出するフック１２1，１３1に加え、裏面にも同様なフック１２2，１３2を形成すると、広告表示板１０の表裏両面を表示に使用できる（図７）。
広告表示板１０は、自動販売機の広告表示板収容部９（図１）に常時収められ、広告表示板収容部９の窓から印刷模様１１が透視される。この状態では、広告表示板１０の四隅コーナ近部に形成されているフック１２，１３，切込み１４，１５はほとんど視認できず、従来の吊下げ金具を使用した場合にみられたような印刷模様１１への悪影響がない。
【００１８】
広告表示板１０の前面に広告シート３０を配置する場合、前面扉１を開けて広告表示板収容部９の上部開口から広告表示板１０を取り出す。取り出した広告表示板１０のフック１２，１３を広告シート３０の差込孔３１（図４）に挿し込むと、広告シート３０の吊下げ状態が規制され、所定の位置関係で広告シート３０が広告表示板１０に装着される。次いで、広告表示板１０を広告表示板収容部９に収め、前面扉１を閉じて施錠すると、広告表示板収容部９の窓から広告シート３０が透視される状態になる。
【００１９】
広告シート３０は、広告表示板１０に比較して薄く、紙や合成樹脂シートから作られたものが使用されている。この種のシートを長期間屋外に曝しておくと、シートのコーナがカールし、広告表示板１０から浮き上がりやすくなる。このような場合、下部コーナ近傍に切込み１４，１５を形成した広告表示板１０を使用する。切込み１４，１５は、広告シート３０のコーナの浮上りを抑え、長期間にわたって広告シート３０の見栄えを良好に維持する。
広告シート３０の上部コーナ近傍にある差込孔３１にフック１２，１３を挿し込み、下部コーナ近傍の切込み１４，１５に広告シート３０の下部コーナを挿し込むと、広告シート３０の四隅が広告表示板１０に固定され、広告シート３０のコーナがカールしなくなる。その結果、長期にわたって広告シート３０を所定の位置に配置でき、自動販売機の使用者に与える印象が向上する。
【産業上の利用可能性】
【００２０】
以上に説明したように、昇華転写法で樹脂塗膜２２に印刷模様を付けた塗装金属板２０が良好な加工性をもつことを利用し、塗装金属板２０から作製される広告表示板１０自体にフック１２，１３，切込み１４，１５等の装着機構を形成できる。しかも、形成した装着機構がほとんど目立たず、広告表示板１０に付した印刷模様１１に装着機構が及ぼす悪影響が極力抑えられる。そのため、期間限定用等の広告シート３０を広告表示板１０に所定の位置関係で容易に装着，取外しでき、広告表示板１０，広告シート３０の表示内容を好印象で自動販売機の使用者に伝えることが可能となる。
【図面の簡単な説明】
【００２１】
【図１】自動販売機の正面図
【図２】昇華転写法で印刷模様を塗装金属板に付与する工程の説明図
【図３】塗装金属板から作製した広告表示板の斜視図
【図４】暫定的広告シートを装着した広告表示板の断面図
【図５】四隅にフックを形成した広告表示板の斜視図
【図６】四隅に切込みを形成した広告表示板の斜視図
【図７】各四隅に複数のフックを形成した広告表示板の斜視図
【符号の説明】
【００２２】
１：自動販売機の前面扉    ９：広告表示板収容部
１０：広告表示板    １１：印刷模様    １２，１３：フック    １４，１５：切込み
２０：塗装金属板    ２１：金属板    ２２：樹脂塗膜    ２３：転写シート    ２４：昇華性染料染着層
３０：広告シート    ３１：差込孔
【図１】
2005135341.tif 000003
【図２】
2005135341.tif 000004
【図３】
2005135341.tif 000005
【図４】
2005135341.tif 000006
【図５】
2005135341.tif 000007
【図６】
2005135341.tif 000008
【図７】
2005135341.tif 000009